(57)【特許請求の範囲】
【請求項１】
第１の表示器と、
前記第１の表示器より表示する情報量が少なく、前記第１表示器が初期化される以前に生じるシステム障害を通知する情報を表示する第２の表示器と、
前記第２の表示器を用いて、前記システム障害を通知する情報を表示する必要のないときに、前記システム障害を通知する情報以外の情報を、一定時間経過毎に取得して通知する通知手段と、
を有する電子機器。
【請求項２】
前記通知手段は、第２の表示器を用いて、前記システム障害を通知する情報以外の情報として、装置に固有に設定される固有情報を通知する、請求項１に記載の電子機器。
【請求項３】
前記固有情報は、装置に固有に割り振られているＩＰアドレスであり、
前記通知手段は、第２の表示器を用いて、前記ＩＰアドレスを通知する、請求項２に記載の電子機器。
【請求項４】
前記通知手段は、第２の表示器を用いて、前記システム障害を通知する情報以外の情報として、ＣＰＵの使用率を示す情報を通知する、請求項１に記載の電子機器。
【請求項５】
前記第２の表示器は、７セグメント表示器で構成される、請求項１〜４のいずれか一項に記載の電子機器。
【請求項６】
第１の表示器と、前記第１の表示器より表示する情報量が少なく、前記第１表示器が初期化される以前に生じるシステム障害を通知する情報を表示する第２の表示器とを有するコンピュータを、
前記第２の表示器を用いて、前記システム障害を通知する情報を表示する必要のないときに、前記システム障害を通知する情報以外の情報を、一定時間経過毎に取得して通知する通知手段と、
して機能させるプログラム。
【発明の詳細な説明】
【技術分野】
【０００１】
本発明の実施形態は、電子機器およびプログラムに関する。
【背景技術】
【０００２】
従来、電子機器において、例えば７セグメントＬＥＤ（Ｌｉｇｈｔ  Ｅｍｉｔｔｉｎｇ  Ｄｉｏｄｅ）などの、複数の表示素子がアラビア数字やアルファベットなどの各字形を表現し得る所定の形に配置されている表示器を備えたもの（特許文献１参照）が知られている。
【発明の概要】
【発明が解決しようとする課題】
【０００３】
しかしながら、この種の電子機器では、表示器を有効に利用していないなどの課題がある。
【課題を解決するための手段】
【０００４】
本実施形態の電子機器は、第１の表示器と、前記第１の表示器より表示する情報量が少なく、前記第１表示器が初期化される以前に生じるシステム障害を通知する情報を表示する第２の表示器と、前記第２の表示器を用いて、前記システム障害を通知する情報を表示する必要のないときに、前記システム障害を通知する情報以外の情報を、一定時間経過毎に取得して通知する通知手段と、を有する。
【図面の簡単な説明】
【０００５】
【図１】図１は、本実施形態のＰＯＳ端末の概略的な外観構成を示す斜視図である。
【図２】図２は、７セグメントＬＥＤを正面から見た拡大正面図である。
【図３】図３は、ＰＯＳ端末の制御系のハードウェア構成を示すブロック図である。
【図４】図４は、ＰＯＳ端末の機能的構成を示すブロック図である。
【図５】図５は、テーブルの一構成例を示す模式図である。
【図６】図６は、テーブルの一構成例を示す模式図である。
【図７】図７は、システム起動時において、ＢＩＯＳプログラムの制御の下でＣＰＵが実行する処理の流れを示すフローチャートである。
【図８】図８は、エラーの通知例を示す模式図である。
【図９】図９は、ＯＳが起動した後のＣＰＵが実行する処理の流れを示すフローチャートである。
【図１０】図１０は、ＣＰＵ使用率の通知例を示す模式図である。
【図１１】図１１は、ＯＳが起動した後のＣＰＵが実行する処理の流れを示すフローチャートである。
【図１２】図１２は、固有情報の通知例を示す模式図である。
【発明を実施するための形態】
【０００６】
以下、本発明の実施形態について添付図面を参照して説明する。
【０００７】
なお、以下の説明では、本実施形態の電子機器およびプログラムを、ＰＯＳ（Ｐｏｉｎｔ  Ｏｆ  Ｓａｌｅｓ  Ｓｙｓｔｅｍ）システムの端末に適用した場合について説明する。ＰＯＳシステムの端末は、店舗で商品を販売するごとに商品の販売情報を記録する。
【０００８】
図１は、本実施形態のＰＯＳ端末１の概略的な外観構成を示す斜視図である。
【０００９】
このＰＯＳ端末１は、店舗の会計場所などに設置され、客が購入する商品の登録処理および会計処理を行う電子機器である。図１に示すように、このＰＯＳ端末１は、店員用の表示器２と、キーボード３と、プリンタ４と、タッチパネル５と、７セグメントＬＥＤ６などを備えている。
【００１０】
店員用の表示器２は、ドットマトリックス表示器であって、店員（キャッシャ）に対して処理内容などの各種情報を表示する。キーボード３は、店員（キャッシャ）が操作するテンキーなどの各種機能キーを有する。プリンタ４は、レシートなどを印字発行する。タッチパネル５は、店員用の表示器２に積層され、タッチ操作を入力する。７セグメントＬＥＤ６は、数字、ドット、アルファベットなどを表示するものであり、店員用の表示器２に比べて表示サイズが小さく、且つ、表示する情報量が少ない表示器である。
【００１１】
なお、図１では、図示を省略しているが、ＰＯＳ端末１は、貨幣を収納するドロワ（図３参照）と通信ケーブル（不図示）を介して通信接続されている。
【００１２】
図２は、７セグメントＬＥＤ６を正面から見た拡大正面図である。
【００１３】
図２に示すように、本実施形態の７セグメントＬＥＤ６は、小数点付きの７セグメントＬＥＤである。具体的には、この７セグメントＬＥＤ６は、０から９までの数字や、Ｅ、Ｆなどのアルファベットを表示するための棒状の７つのセグメント６ａ〜６ｇと、ドット（小数点）を表示する丸状の１つのセグメント６ｈを有している。なお、各セグメント６ａ〜６ｈは、ＬＥＤで構成されている。
【００１４】
即ち、この小数点付きの７セグメントＬＥＤ６は、８つのセグメントを構成するＬＥＤを選択的に発光させることにより、数字、ドット、アルファベットなどを表現することが可能となっている。なお、７セグメントＬＥＤ６を構成する個々のセグメントの大きさは、店員用の表示器２のドットよりも大きく、何れか一つのセグメントのみを点灯させたとしても、その点灯状態を遠目から容易に視認することができる。
【００１５】
そして、本実施形態の７セグメントＬＥＤ６は、ＯＳ起動前には、予め定められたメインの情報として、ＰＯＳ端末１のシステム起動時に検知したエラー（ハードウェア障害やシステム障害など）を通知する情報を表示する。また、本実施形態の７セグメントＬＥＤ６は、ＯＳ起動後など、前記メインの情報を表示する必要のない時に、前記メインの情報以外の情報として、ＣＰＵ１０ａの使用率を通知する情報や、固有情報（ＩＰ（Ｉｎｔｅｒｎｅｔ  Ｐｒｏｔｃｏｌ)アドレスなど）を通知する情報なども表示する。
【００１６】
図３は、ＰＯＳ端末１の制御系のハードウェア構成を示すブロック図である。
【００１７】
図３に示すように、このＰＯＳ端末１は、パーソナルコンピュータなどの一般的なコンピュータを利用したハードウェア構成となっている。例えば、このＰＯＳ端末１は、制御部１０と、ＢＩＯＳ（Ｂａｓｉｃ  Ｉｎｐｕｔ−Ｏｕｔｐｕｔ  Ｓｙｓｔｅｍ）−ＲＯＭ（Ｒｅａｄ  Ｏｎｌｙ  Ｍｅｍｏｒｙ）１１と、通信Ｉ／Ｆ１２と、Ｉ／Ｏ機器制御部１３とがバスＢ１によって接続されて構成されている。
【００１８】
なお、制御部１０は、ＣＰＵ（Ｃｅｎｔｒａｌ  Ｐｒｏｃｅｓｓｉｎｇ  Ｕｎｉｔ）１０ａ、ＲＯＭ１０ｂ、ＲＡＭ（Ｒａｎｄｏｍ  Ａｃｃｅｓｓ  Ｍｅｍｏｒｙ）１０ｃ、チップセット１０ｄなどを有して構成されている。
【００１９】
また、制御部１０には、バスＢ１およびＩ／Ｏ機器制御部１３を介して、店員用の表示器２、キーボード３、プリンタ４、タッチパネル５、７セグメントＬＥＤ６、ＨＤＤ（Ｈａｒｄ  Ｄｉｓｋ  Ｄｒｉｖｅ）７、ドロワ８などが接続されている。
【００２０】
即ち、制御部１０は、ＣＰＵ１０ａがＲＯＭ１０ｂやＨＤＤ７などに格納されるプログラム（基本ソフトであるＯＳ（Ｏｐｅｒａｔｉｎｇ  Ｓｙｓｔｅｍ）やＰＯＳシステム用アプリケーションソフトウェアなど）をＲＡＭ１０ｃなどに展開して実行することにより、Ｉ／Ｏ機器制御部１３を介して接続される各種機器の動作を制御する。また、制御部１０は、通信Ｉ／Ｆ１２およびネットワーク（不図示）を介して接続される上位装置（ストアサーバなど）（不図示）との間で各種データを送受信する動作を制御する。
【００２１】
また、ＢＩＯＳ−ＲＯＭ１１は、ファームウェア記憶手段として機能し、ＰＯＳＴ（Ｐｏｗｅｒ−Ｏｎ  Ｓｅｌｆ  Ｔｅｓｔ）１１ａと、ＢＩＯＳプログラム１１ｂと、テーブル１１ｃなどを格納している。
【００２２】
ＰＯＳＴ１１ａは、電源投入時に実行される各ハードウェアを初期化するためのプログラムである。
【００２３】
ＢＩＯＳプログラム１１ｂは、ＰＯＳＴ１１ａによる各ハードウェアの初期化処理においてエラーが発生した場合に、テーブル１１ｃの情報に基づいて、エラーの発生および種別を７セグメントＬＥＤ６を用いて通知する処理を実行するものである。
【００２４】
テーブル１１ｃは、エラー種別に対応して表示コードを記憶するテーブルである。例えば、本実施形態では、エラー種別が「ＨＤＤエラー」の場合に、表示コード「Ｅ」が対応付けられている。
【００２５】
なお、表示コードとは、表示コードで示される数字や、ドットや、アルファベットを表現するのに、どのセグメント（６ａ〜６ｈ）を構成するＬＥＤを選択的に発光させればよいかを示す情報である。例えば、表示コード「Ｅ」は、７セグメントＬＥＤ６のセグメント６ａ、６ｄ、６ｆ、６ｅおよび６ｇ（図２参照）を構成するＬＥＤを選択的に発光させることを示す情報である。
【００２６】
図４は、ＰＯＳ端末１の機能的構成を示すブロック図である。
【００２７】
図４に示すように、制御部１０は、ＣＰＵ１０ａがＲＯＭ１０ｂやＢＩＯＳ−ＲＯＭ１１などに格納されるプログラムをＲＡＭ１０ｃ上に展開して実行することにより、エラー通知部１１０、ＣＰＵ使用率通知部１２０、固有情報通知部１３０として機能する。
【００２８】
エラー通知部１１０は、ＢＩＯＳ−ＲＯＭ１１に格納されるＢＩＯＳプログラム１１ｂにより実現される機能部である。具体的には、このエラー通知部１１０は、ＯＳ起動するまでの各種エラーをチェックする。そして、エラー通知部１１０は、前記チェックの結果、エラーを検知した場合、テーブル１１ｃの情報を参照し、７セグメントＬＥＤ６を用いて、エラーの発生およびエラーの種別を店員や保守者に通知する。
【００２９】
なお、エラー通知部１１０が監視する各種エラーとしては、例えば、ＨＤＤエラーや、ＣＰＵ温度超過エラー、メモリエラーなどが挙げられる。ここで、ＨＤＤエラーは、例えば、ＨＤＤ７に関するエラーで、データの読み取りが行えないなどのエラーである。また、ＣＰＵ温度超過エラーは、例えば、ＣＰＵ１０ａが備える温度センサ（不図示）により検知された温度が動作保障範囲を超過している際に検知されるエラーである。また、メモリエラーは、例えば、店員用の表示器２が初期化される以前に生じる各種メモリに関するエラーである。
【００３０】
ＣＰＵ使用率通知部１２０は、ＲＯＭ１０ｂやＨＤＤ７に格納されるプログラムであって、ＣＰＵ１０ａの使用率を監視するプログラムにより実現される機能部である。具体的には、例えば、ＣＰＵ使用率通知部１２０は、ＯＳ起動後に、一定時間経過する毎に、ＣＰＵ１０ａの使用率を取得する。そして、ＣＰＵ使用率通知部１２０は、一定時間経過毎に、取得したＣＰＵ１０ａの使用率の情報と、図５のテーブルＴ１の情報とに基づいて、７セグメントＬＥＤ６を用いて、ＣＰＵ１０ａの使用率を店員や保守者に通知する。
【００３１】
図５は、テーブルＴ１の一構成例を示す模式図である。
【００３２】
図５に示すように、このテーブルＴ１は、ＣＰＵの使用率（％）に対応した表示コードを登録するテーブルである。
【００３３】
なお、ＣＰＵの使用率「０％以上１０％未満」に対応付けられた表示コード「１」は、７セグメントＬＥＤ６のセグメント６ｂ、６ｃ（図２参照）を構成するＬＥＤを選択的に発光させることを示す情報である。また、ＣＰＵの使用率「４０％以上５０％未満」に対応付けられた表示コード「５」は、７セグメントＬＥＤ６のセグメント６ａ、６ｃ、６ｄ、６ｆおよび６ｇ（図２参照）を構成するＬＥＤを選択的に発光させることを示す情報である。更に、ＣＰＵの使用率「９０％以上１００％以下」に対応付けられた表示コード「Ｆ」は、７セグメントＬＥＤ６のセグメント６ａ、６ｅ、６ｆおよび６ｇ（図２参照）を構成するＬＥＤを選択的に発光させることを示す情報である。
【００３４】
固有情報通知部１３０は、ＲＯＭ１０ｂやＨＤＤ７に格納されるプログラムであって、固有情報（ＩＰアドレスなど）を監視するプログラムにより実現される機能部である。具体的には、この固有情報通知部１３０は、ＯＳ起動後に、一定時間経過する毎に、ＰＯＳ端末１に固有に設定されている固有情報（ＩＰアドレスなど）を表現するための表示コード（図６参照）を取得する。そして、固有情報通知部１３０は、一定時間経過毎に、取得した表示コードに基づいて、７セグメントＬＥＤ６を用いて、固有情報を店員や保守者に通知する。
【００３５】
図６は、テーブルＴ２の一構成例を示す模式図である。
【００３６】
図６に示すように、このテーブルＴ２は、ＰＯＳ端末１に固有に設定されている固有情報を表現するための表示コードを登録するテーブルである。なお、図６の例では、固有情報として、ＰＯＳ端末１に固有に割り振られて設定されているＩＰアドレスを７セグメントＬＥＤ６で表現するための表示コードを登録している様子を示している。
【００３７】
また、図６の例では、ＩＰアドレスが「１２．３４．５６．７８」であるため、表示コードが「スタート通知用の点灯１２．３４．５６．７８」である場合を示している。なお、この場合の表示コードは、「１２．３４．５６．７８」というＩＰアドレスの数字列を構成する数字やドットを一定時間経過毎に切り替え表示させるための情報である。
【００３８】
なお、「スタート通知用の点灯」とは、店員や保守者にＩＰアドレスの表示のスタートを知らせるための点灯であり、例えば、全てのセグメント６ａ〜６ｈの点灯および消灯を一定時間（１０秒など）繰り返し行うような点灯方法などを示している。
【００３９】
なお、ここでいう固有情報とは、ＰＯＳ端末１に固有に設定される情報であり、ＩＰアドレス以外にも、ＭＡＣ（Ｍｅｄｉａ  Ａｃｃｅｓｓ  Ｃｏｎｔｒｏｌ）アドレスや、通信先となる電子機器（ストアサーバなど）のアドレスや、レジ番号（ＰＯＳ端末の識別情報）などを設定することが可能である。
【００４０】
次に、前記した構成のＰＯＳ端末１における各種処理動作について図７〜図１２を用いて説明する。
【００４１】
図７は、システム起動時において、ＢＩＯＳプログラム１１ｂの制御の下でＣＰＵ１０ａが実行する処理の流れを示すフローチャートである。
【００４２】
図７に示すように、ＰＯＳ端末１の電源が投入（ＯＮ）されると（ステップＳ１１）、ここでの処理が開始され、まず、ＣＰＵ１０ａは、エラー通知部１１０が、ＯＳを起動するまでのエラーをチェックする（ステップＳ１２）。なお、この場合、エラー通知部１１０は、予め設定されている順番で各種のエラーの有無をチェックする。
【００４３】
このチェックの結果、エラーが検知された場合（ステップＳ１３：Ｙｅｓ）、続いて、エラー通知部１１０が、検知したエラーに対応付けられた表示コードに従って７セグメントＬＥＤ６を用いてエラーの発生および種別を店員や保守者に通知する（ステップＳ１４）。
【００４４】
具体的には、ステップＳ１４では、エラー通知部１１０は、テーブル１１ｃに記憶されている表示コードで特定されるセグメント（６ａ〜６ｈ）を構成するＬＥＤを選択的に発光させることにより、表示コード（例えば、文字「Ｅ」）を７セグメントＬＥＤ６で表現する。例えば、エラー通知部１１０が、ＨＤＤエラーを検知した場合には、テーブル１１ｃの表示コード「Ｅ」に基づいて、７セグメントＬＥＤ６のセグメント６ａ、６ｄ、６ｆ、６ｅおよび６ｇを構成するＬＥＤを選択的に発光させ、図８に示すようなエラー通知を行う。
【００４５】
ステップＳ１４の後、全てのエラーのチェックが終了したか否かを判定し（ステップＳ１５）、この判定の結果、全てのエラーのチェックが終了していなければ（ステップＳ１５：Ｎｏ）、ＣＰＵ１０ａは、処理をステップＳ１２に移行させ、以下同様の処理を行う。
【００４６】
他方、ステップＳ１５の判定の結果、全てのエラーのチェックが終了していると判定した場合には（ステップＳ１５：Ｙｅｓ）、ＣＰＵ１０ａは、ＯＳを起動して（ステップＳ１６）、ここでの処理を終了する。
【００４７】
なお、発生したエラーの種別によっては、ステップＳ１６のＯＳの起動が行えない場合があるので、その場合には、ＣＰＵ１０ａは、ＯＳを起動せずに処理を停止する。
【００４８】
一方、ステップＳ１３の処理で、或るエラーのチェックの結果、エラーを検知できなかった場合には（ステップＳ１３：Ｎｏ）、ＣＰＵ１０ａは、ステップＳ１４の処理を飛ばして処理をステップＳ１５の処理に移行させて以下同様の処理を行う。即ち、７セグメントＬＥＤ６は、システム起動（ＯＳやアプリの起動前）までに有用なものである。
【００４９】
図９および図１１は、ＯＳが起動した後のＣＰＵ１０ａが実行する処理の流れを示すフローチャートであり、図９が、ＣＰＵ１０ａのＣＰＵ使用率通知部１２０が実行する処理手順を示し、図１１が、固有情報通知部１３０が実行する処理手順を示している。
【００５０】
図９において、ＯＳが起動すると、ＣＰＵ１０ａの使用率を監視するプログラムが起動し、ＣＰＵ使用率通知部１２０が動作する。そして、ＣＰＵ使用率通知部１２０は、ＣＰＵ使用率を監視するプログラムが終了するまで、即ち、ＰＯＳ端末１の電源が遮断（ＯＦＦ）されるまで、一定時間経過する毎に、ＣＰＵ１０ａの使用率を取得する（ステップＳ２１）。
【００５１】
続いて、ＣＰＵ使用率通知部１２０は、取得したＣＰＵ１０ａの使用率の情報と、図５のテーブルＴ１の情報とに基づいて、７セグメントＬＥＤ６を用いて、ＣＰＵ１０ａの使用率を店員や保守者に通知する（ステップＳ２２）。
【００５２】
具体的には、例えば、ステップＳ２１で取得したＣＰＵ１０ａの使用率が「０％以上１０％未満」であった場合、ステップＳ２２の処理において、ＣＰＵ使用率通知部１２０が、表示コード「１」に基づいて、７セグメントＬＥＤ６のセグメント６ｂ、６ｃを構成するＬＥＤを選択的に発光させ、図１０（ａ）に示すようなＣＰＵ使用率の通知を行う。
【００５３】
また、例えば、ステップＳ２１で取得したＣＰＵ１０ａの使用率が「４０％以上５０％未満」であった場合、ステップＳ２２の処理において、ＣＰＵ使用率通知部１２０が、表示コード「５」に基づいて、７セグメントＬＥＤ６のセグメント６ａ、６ｃ、６ｄ、６ｆおよび６ｇを構成するＬＥＤを選択的に発光させ、図１０（ｂ）に示すようなＣＰＵ使用率の通知を行う。
【００５４】
また、例えば、ステップＳ２１で取得したＣＰＵ１０ａの使用率が「９０％以上１００％以下」であった場合、ステップＳ２２の処理において、ＣＰＵ使用率通知部１２０が、表示コード「Ｆ」に基づいて、７セグメントＬＥＤ６のセグメント６ａ、６ｅ、６ｆおよび６ｇを構成するＬＥＤを選択的に発光させ、図１０（ｃ）に示すようなＣＰＵ使用率の通知を行う。
【００５５】
図１１において、ＯＳが起動すると、固有情報（ＩＰアドレス）を監視するプログラムが起動し、固有情報通知部１３０が動作する。そして、固有情報通知部１３０は、固有情報（ＩＰアドレス）を監視するプログラムが終了するまで、即ち、ＰＯＳ端末１の電源が遮断（ＯＦＦ）されるまで、一定時間経過する毎に、固有情報（ＩＰアドレス）を表現するための表示コード（図６参照）を取得する（ステップＳ３１）。
【００５６】
続いて、固有情報通知部１３０は、取得した固有情報（ＩＰアドレス）に対応した表示コードに基づいて、７セグメントＬＥＤ６を用いて、固有情報（ＩＰアドレス）を店員や保守者に通知する（ステップＳ３２）。
【００５７】
具体的には、例えば、ステップＳ３１で取得した固有情報（ＩＰアドレス）を表現するための表示コードが、「スタート通知用の点灯１２．３４．５６．７８」であった場合、ステップＳ３２の処理において、固有情報通知部１３０が、まず、スタート通知用の点灯を７セグメントＬＥＤ６に行わせる。続いて、固有情報通知部１３０が、ＩＰアドレス「１２．３４．５６．７８」の文字列を構成する数字やドットを順番に表示させるように７セグメントＬＥＤ６の各セグメント（６ａ〜６ｈ）を構成するＬＥＤを選択的に発光させる。
【００５８】
即ち、固有情報通知部１３０は、「スタート通知用の点灯」→「１」→「２」→「．」→「３」→「４」→「．」→「５」→「６」→「．」→「７」→「８」の表示を７セグメントＬＥＤ６で繰り返し表示させる。
【００５９】
なお、本実施形態では、図９の処理と図１１の処理のいずれか一方のみを実行することが可能であるが、両者を交互に行うように構成しても良い。即ち、最初にＣＰＵ１０ａの使用率を通知し、その後、固有情報を通知するという動作を交互に行うように構成することも可能である。
【００６０】
即ち、以上説明した実施形態によれば、店員用の表示器２とは別に設けられた７セグメントＬＥＤ６などの表示器を有効に利用することが可能である。
【００６１】
具体的には、従来から使用されている各種エラー通知以外にも、店員や保守者が必要な情報、即ち、装置に固有に設定される固有情報（ＩＰアドレス）を通知することが可能となる。
【００６２】
より具体的には、ＰＯＳ端末１の処理内容を表示する店員用の表示器２とは別の７セグメントＬＥＤ６で固有情報（ＩＰアドレスなど）を表示するように構成したため、キーボード３で所定の操作をしなくとも、店員や保守者が知り得たい固有情報を簡単に見ることができるので、店員によるＰＯＳ端末１の使用中でも固有情報を知ることができるし、従来のように、固有情報（ＩＰアドレスなど）を記載した紙をＰＯＳ端末１の側面などに貼付しておかなくとも済むようになる。
【００６３】
以上、例示的な実施形態に基づいて説明したが、本発明は、前記した実施形態により限定されるものではない。
【００６４】
例えば、前記した実施形態では、固有情報（ＩＰアドレスなど）を通知する場合がＯＳの起動後である場合について説明した。しかし、これに限定されず、７セグメントＬＥＤ６と、ＣＰＵ１０ａとは別で７セグメントＬＥＤ６を制御するＣＰＵを搭載したモジュールを用意する。そして、そのモジュールに常に電源が供給されるように構成し、ＰＯＳ端末１本体の電源が遮断（ＯＦＦ）されている場合でも、固有情報（ＩＰアドレス）を７セグメントＬＥＤ６で表示するように構成することも可能である。
【００６５】
また、前記した実施形態では、エラー通知や、ＣＰＵ使用率の通知や、固有情報の通知をする表示器として７セグメントＬＥＤ６を用いる場合について説明した。しかし、これに限定されず、例えば表示器の各セグメントを構成する表示素子として、小型の冷陰極放電灯、蛍光表示管、白熱フィラメント、液晶ディスプレイ（Ｌｉｑｕｉｄ  Ｃｒｙｓｔａｌ  Ｄｉｓｐｌａｙ)などを用いたセグメント表示器とすることも可能である。
【００６６】
また、前記した実施形態では、本実施形態の電子機器およびプログラムを適用した電子機器をＰＯＳ端末である場合について説明したが、その他の電子機器であっても良いものとする。
【００６７】
また、前記した実施形態のＰＯＳ端末１で実行されるプログラムは、ＲＯＭなどの記憶部に予め組み込んで提供することが可能である。また、前記プログラムは、インストール可能な形式または実行可能な形式のファイルでコンピュータで読み取り可能な記憶媒体に記憶して提供することが可能である。更に、前記プログラムは、インターネットなどのネットワーク経由で提供または配布したりすることも可能である。
【００６８】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１  ＰＯＳ端末
２  店員用の表示器（第１の表示器）
３  キーボード
４  プリンタ
５  タッチパネル
６  ７セグメントＬＥＤ（第２の表示器）
６ａ〜６ｈ  セグメント
１０  制御部（通知手段）
１０ａ  ＣＰＵ（通知手段）
１１０  エラー通知部（通知手段）
１２０  ＣＰＵ使用率通知部（通知手段）
１３０  固有情報通知部（通知手段）
【先行技術文献】
【特許文献】
【００７０】
【特許文献１】特開平３−１８９４３号公報
【図１】
0005547127.tif 000002
【図２】
0005547127.tif 000003
【図３】
0005547127.tif 000004
【図４】
0005547127.tif 000005
【図５】
0005547127.tif 000006
【図６】
0005547127.tif 000007
【図７】
0005547127.tif 000008
【図８】
0005547127.tif 000009
【図９】
0005547127.tif 000010
【図１０】
0005547127.tif 000011
【図１１】
0005547127.tif 000012
【図１２】
0005547127.tif 000013